【手続補正書】
【提出日】平成28年5月26日(2016.5.26)
【手続補正１】
【補正対象書類名】特許請求の範囲
【補正対象項目名】全文
【補正方法】変更
【補正の内容】
【特許請求の範囲】
【請求項１】
無線通信のためのアクセスポイントであって、
前記アクセスポイントと複数の無線局の各々との間の個々の通信セッションごとに媒体アクセスパラメータの値を選択するように構成されたプロセッサと、前記媒体アクセスパラメータは、クリアチャネルアセスメントしきい値、および競合ウィンドウバックオフ期間のための最小の持続時間のうちの少なくとも１つを備え、媒体アクセスパラメータごとの前記値は、前記アクセスポイントと前記複数の無線局の各々との間の経路損失に少なくとも部分的に基づいて選択され、前記値を選択することは、
前記アクセスポイントと前記複数の無線局のうちの第１の無線局との間の第１の通信セッションのための前記媒体アクセスパラメータの第１の値を選択することと、
前記アクセスポイントと前記複数の無線局のうちの第２の無線局との間の第２の通信セッションのための前記媒体アクセスパラメータの第２の値を選択することと、
を備え、前記第１の値は、前記第２の値とは異なり、前記プロセッサは、前記アクセスポイントが送信電力レベルを増大させているかどうかを決定することに少なくとも基づいて、前記クリアチャネルアセスメントしきい値のためにより低い値を選択するように構成される、
個々の通信セッションごとの前記媒体アクセスパラメータの前記選択された値を使用して前記複数の無線局の各々と通信するように構成されたトランシーバと、
を備えるアクセスポイント。
【請求項２】
前記媒体アクセスパラメータは、クリアチャネルアセスメントパラメータまたはキャリア検知多重アクセスパラメータを備える、請求項１に記載のアクセスポイント。
【請求項３】
前記媒体アクセスパラメータは、送信電力レベルを備える、請求項１に記載のアクセスポイント。
【請求項４】
前記媒体アクセスパラメータは、前記クリアチャネルアセスメントしきい値を備え、前記プロセッサは、
前記アクセスポイントと前記無線局との間の距離、
前記通信セッションのためのターゲットデータレート、および
前記アクセスポイントと前記無線局との間のトラフィックのタイプ、
のうちの少なくとも１つに基づいて、前記クリアチャネルアセスメントしきい値の値を選択する、請求項１に記載のアクセスポイント。
【請求項５】
前記媒体アクセスパラメータは、競合ウィンドウバックオフ期間のための前記最小の持続時間を備え、前記プロセッサは、前記アクセスポイントと前記無線局との間の前記通信セッションで失敗を経験しているときに、競合ウィンドウバックオフ期間のための前記最小の持続時間の値を増大させるように構成される、請求項１に記載のアクセスポイント。
【請求項６】
前記トランシーバは、前記第１の値を使用して前記第１の無線局と通信し、前記第２の値を使用して前記第２の無線局と通信するように構成される、請求項１に記載のアクセスポイント。
【請求項７】
前記媒体アクセスパラメータは、前記クリアチャネルアセスメントしきい値を備え、前記アクセスポイントと前記第１の無線局との間の距離は、前記アクセスポイントと前記第２の無線局との間の距離よりも短く、前記クリアチャネルアセスメントしきい値の前記第１の値は、前記第２の値よりも高い、請求項１に記載のアクセスポイント。
【請求項８】
無線通信の方法であって、
アクセスポイントにおいて、前記アクセスポイントと複数の無線局の各々との間の個々の通信セッションごとに媒体アクセスパラメータの値を選択することと、前記媒体アクセスパラメータは、クリアチャネルアセスメントしきい値、および競合ウィンドウバックオフ期間のための最小の持続時間のうちの少なくとも１つを備え、媒体アクセスパラメータごとの前記値は、前記アクセスポイントと前記複数の無線局の各々との間の経路損失に少なくとも部分的に基づいて選択され、前記値を前記選択することは、
前記アクセスポイントにおいて、前記アクセスポイントと前記複数の無線局のうちの第１の無線局との間の第１の通信セッションのための前記媒体アクセスパラメータの第１の値を選択することと、
前記アクセスポイントにおいて、前記アクセスポイントと前記複数の無線局のうちの第２の無線局との間の第２の通信セッションのための前記媒体アクセスパラメータの第２の値を選択することと、
を備え、前記第１の値は、前記第２の値とは異なり、プロセッサは、前記アクセスポイントが送信電力レベルを増大させているかどうかを決定することに少なくとも基づいて、前記クリアチャネルアセスメントしきい値のためにより低い値を選択するように構成される、
前記アクセスポイントにおいて、個々の通信セッションごとの前記媒体アクセスパラメータの前記選択された値を使用して前記複数の無線局の各々と通信することと、
を備える方法。
【請求項９】
前記媒体アクセスパラメータは、クリアチャネルアセスメントパラメータまたはキャリア検知多重アクセスパラメータを備える、請求項８に記載の方法。
【請求項１０】
前記媒体アクセスパラメータは、送信電力レベルを備える、請求項８に記載の方法。
【請求項１１】
前記媒体アクセスパラメータは、前記クリアチャネルアセスメントしきい値を備え、前記クリアチャネルアセスメントしきい値の値は、
前記アクセスポイントと前記無線局との間の距離、
前記通信セッションのためのターゲットデータレート、および
前記アクセスポイントと前記無線局との間のトラフィックのタイプ、
のうちの１つまたは複数に基づいて選択される、請求項８に記載の方法。
【請求項１２】
前記媒体アクセスパラメータは、競合ウィンドウバックオフ期間のための前記最小の持続時間を備え、
前記アクセスポイントと前記無線局との間の前記通信セッションで失敗を経験しているときに、競合ウィンドウバックオフ期間のための前記最小の持続時間の値を増大させることをさらに備える、
請求項８に記載の方法。
【請求項１３】
前記無線局と前記通信することは、前記第１の値を使用して前記第１の無線局と通信することと、前記第２の値を使用して前記第２の無線局と通信することとをさらに備える、請求項８に記載の方法。
【請求項１４】
前記媒体アクセスパラメータは、前記クリアチャネルアセスメントしきい値を備え、前記アクセスポイントと前記第１の無線局との間の距離は、前記アクセスポイントと前記第２の無線局との間の距離よりも短く、前記クリアチャネルアセスメントしきい値の前記第１の値は、前記第２の値よりも高い、請求項８に記載の方法。
【請求項１５】
無線通信のためのアクセスポイントであって、
アクセスポイントにおいて、前記アクセスポイントと複数の無線局の各々との間の個々の通信セッションごとに媒体アクセスパラメータの値を選択するための手段と、前記媒体アクセスパラメータは、クリアチャネルアセスメントしきい値、および競合ウィンドウバックオフ期間のための最小の持続時間のうちの少なくとも１つを備え、媒体アクセスパラメータごとの前記値は、前記アクセスポイントと前記複数の無線局の各々との間の経路損失に少なくとも部分的に基づいて選択され、前記値を選択するための手段は、
前記アクセスポイントと前記複数の無線局のうちの第１の無線局との間の第１の通信セッションに関連付けられる前記媒体アクセスパラメータの第１の値を選択するための手段と、
前記アクセスポイントと前記複数の無線局のうちの第２の無線局との間の第２の通信セッションのための前記媒体アクセスパラメータに関連付けられる第２の値を選択するための手段と、
を備え、前記第１の値は、前記第２の値とは異なり、前記選択するための手段は、前記アクセスポイントが送信電力レベルを増大させているかどうかを決定することに少なくとも基づいて、前記クリアチャネルアセスメントしきい値のためにより低い値を選択するように構成される、
個々の通信セッションごとの前記媒体アクセスパラメータの前記選択された値を使用して、前記複数の無線局の各々と通信するための手段と、
を備えるアクセスポイント。
【請求項１６】
前記媒体アクセスパラメータは、競合ウィンドウバックオフ期間のための前記最小の持続時間を備え、ここにおいて、プロセッサは、前記アクセスポイントと前記無線局との間の前記通信セッションで失敗を経験しているときに、競合ウィンドウバックオフ期間のための前記最小の持続時間の値を増大させるように構成される、請求項１５に記載のアクセスポイント。
【手続補正２】
【補正対象書類名】明細書
【補正対象項目名】００８１
【補正方法】変更
【補正の内容】
【００８１】
[0088]  前述は、本開示の態様に向けられている一方で、本開示のその他および更なる態様が、これらの基本的な範囲から逸脱することなく考案されることができ、その範囲は、以下に示す特許請求の範囲によって決定される。
以下に、本願出願の当初の特許請求の範囲に記載された発明を付記する。
［Ｃ１］
無線通信のためのアクセスポイントであって、
前記アクセスポイントと複数の無線局の各々との間の個々の通信セッションごとに媒体アクセスパラメータの値を選択するように構成されたプロセッサと、
個々の通信セッションごとの前記媒体アクセスパラメータの前記選択された値を使用して前記無線局の各々と通信するように構成されたトランシーバと、
を備えるアクセスポイント。
［Ｃ２］
前記媒体アクセスパラメータは、クリアチャネルアセスメントパラメータまたはキャリア検知多重アクセスパラメータを備える、Ｃ１に記載のアクセスポイント。
［Ｃ３］
前記媒体アクセスパラメータは、
クリアチャネルアセスメントしきい値、
競合ウィンドウバックオフ期間のための最小の持続時間、および
送信電力レベル、
のうちの少なくとも１つを備える、Ｃ１に記載のアクセスポイント。
［Ｃ４］
前記媒体アクセスパラメータは、クリアチャネルアセスメントしきい値を備え、前記プロセッサは、
前記アクセスポイントと前記無線局の間の距離、
前記アクセスポイントと前記無線局の間の経路損失、
前記通信セッションのためのターゲットデータレート、および
前記アクセスポイントと前記無線局の間のトラフィックのタイプ、
のうちの少なくとも１つに基づいて、前記クリアチャネルアセスメントしきい値の値を選択する、Ｃ１に記載のアクセスポイント。
［Ｃ５］
前記媒体アクセスパラメータは、クリアチャネルアセスメントしきい値を備え、前記プロセッサは、前記アクセスポイントがより高い電力レベルで送信しているときに、前記しきい値のためにより低い値を選択するように構成される、Ｃ１に記載のアクセスポイント。
［Ｃ６］
前記媒体アクセスパラメータは、競合ウィンドウのための最小の持続時間を備え、前記プロセッサは、前記アクセスポイントと前記無線局の間の前記通信セッションで失敗を経験しているときに、競合ウィンドウのための前記持続時間の値を増大させるように構成される、Ｃ１に記載のアクセスポイント。
［Ｃ７］
前記アクセスポイントは、前記アクセスポイントと前記複数の無線局のうちの第１の無線局との間の第１の通信セッションのための媒体アクセスパラメータの第１の値を選択し、前記アクセスポイントと前記複数の無線局のうちの第２の無線局との間の第２の通信セッションのための前記媒体アクセスパラメータの第２の値を選択するように構成され、前記第１の値は、前記第２の値とは異なる、Ｃ１に記載のアクセスポイント。
［Ｃ８］
前記第１の値を使用して前記第１の無線局と通信し、前記第２の値を使用して前記第２の無線局と通信するようにさらに構成される、Ｃ７に記載のアクセスポイント。
［Ｃ９］
前記媒体アクセスパラメータは、クリアチャネルアセスメントしきい値を備え、前記アクセスポイントと前記第１の無線局の間の距離は、前記アクセスポイントと前記第２の無線局の間の距離よりも短く、前記クリアチャネルアセスメントしきい値の前記第１の値は、前記第２の値よりも高い、Ｃ７に記載のアクセスポイント。
［Ｃ１０］
無線通信の方法であって、
アクセスポイントにおいて、前記アクセスポイントと複数の無線局の各々との間の個々の通信セッションごとに媒体アクセスパラメータの値を選択することと、
前記アクセスポイントにおいて、個々の通信セッションごとの前記媒体アクセスパラメータの前記選択された値を使用して前記無線局の各々と通信することと、
を備える方法。
［Ｃ１１］
前記媒体アクセスパラメータは、クリアチャネルアセスメントパラメータまたはキャリア検知多重アクセスパラメータを備える、Ｃ１０に記載の方法。
［Ｃ１２］
前記媒体アクセスパラメータは、
クリアチャネルアセスメントしきい値、
競合ウィンドウバックオフ期間のための最小の持続時間、および
送信電力レベル、
のうちの少なくとも１つを備える、Ｃ１０に記載の方法。
［Ｃ１３］
前記媒体アクセスパラメータは、クリアチャネルアセスメントしきい値を備え、前記クリアチャネルアセスメントしきい値の値は、
前記アクセスポイントと前記無線局の間の距離、
前記アクセスポイントと前記無線局の間の経路損失、
前記通信セッションのためのターゲットデータレート、および
前記アクセスポイントと前記無線局の間のトラフィックのタイプ、
のうちの１つまたは複数に基づいて選択される、Ｃ１０に記載の方法。
［Ｃ１４］
前記媒体アクセスパラメータは、クリアチャネルアセスメントしきい値を備え、前記アクセスポイントがより高い電力レベルで送信しているときに、よりセンシティブなしきい値が選択される、Ｃ１０に記載の方法。
［Ｃ１５］
前記媒体アクセスパラメータは、競合ウィンドウのための最小の持続時間を備え、
前記アクセスポイントと前記無線局の間の前記通信セッションで失敗を経験しているときに、競合ウィンドウのための前記最小の持続時間の値を増大させることをさらに備える、
Ｃ１０に記載の方法。
［Ｃ１６］
前記媒体アクセスパラメータの前記値を前記選択することは、前記アクセスポイントと前記複数の無線局のうちの第１の無線局との間の第１の通信セッションのための前記媒体アクセスパラメータの第１の値を選択することと、前記アクセスポイントと前記複数の無線局のうちの第２の無線局との間の第２の通信セッションのための前記媒体アクセスパラメータの第２の値を選択することとをさらに備え、前記第１の値は、前記第２の値とは異なり、前記無線局と通信することは、前記第１の値を使用して前記第１の無線局と通信することと、前記第２の値を使用して前記第２の無線局と通信することとを備える、Ｃ１０に記載の方法。
［Ｃ１７］
前記無線局と前記通信することは、前記第１の値を使用して前記第１の無線局と通信することと、前記第２の値を使用して前記第２の無線局と通信することとをさらに備える、Ｃ１６に記載の方法。
［Ｃ１８］
前記媒体アクセスパラメータは、クリアチャネルアセスメントしきい値を備え、前記アクセスポイントと前記第１の無線局の間の距離は、前記アクセスポイントと前記第２の無線局の間の距離よりも短く、前記クリアチャネルアセスメントしきい値の前記第１の値は、前記第２の値よりも高い、Ｃ１６に記載の方法。
［Ｃ１９］
無線通信のためのアクセスポイントであって、
アクセスポイントと複数の無線局のうちの第１の無線局との間の第１の通信セッションに関連付けられる媒体アクセスパラメータの第１の値と、前記アクセスポイントと前記複数の無線局のうちの第２の無線局との間の第２の通信セッションのための媒体アクセスパラメータに関連付けられる第２の値とを選択するための手段と、前記第１の値は、前記第２の値とは異なる、
前記媒体アクセスパラメータの前記選択された値を使用して、前記第１および第２の無線局の各々と通信するための手段と、
を備えるアクセスポイント。
［Ｃ２０］
前記媒体アクセスパラメータは、
クリアチャネルアセスメントしきい値、ここにおいて、前記プロセッサは、前記アクセスポイントがより高い電力レベルで送信しているときに、前記しきい値のためにより低い値を選択するように構成される、および
競合ウィンドウのための最小の持続時間、ここにおいて、前記プロセッサは、前記アクセスポイントと前記無線局の間の前記通信セッションで失敗を経験しているときに、競合ウィンドウのための前記持続時間の値を増大させるように構成される、
のうちの１つを備える、Ｃ１９に記載のアクセスポイント。